(57)【要約】釣り道具用収納具は、蓋壁と、着脱自在に蓋壁と連結する側壁と、側壁と連結する底壁とを含み得る。蓋壁は、スプールを画定するための多数のアームを備えうる。【選択図】図１
2014533492.tif 000002
【特許請求の範囲】
【請求項１】
蓋壁と、
着脱自在に前記蓋壁と連結する側壁と、
前記側壁と連結する底壁と、を備える釣り道具用収納具であって、
前記蓋壁は、スプールを画定するための多数のアームを備える、釣り道具用収納具。
【請求項２】
前記蓋壁は排水口を備える、請求項１に記載の釣り道具用収納具。
【請求項３】
前記底壁は排水口を備える、請求項１に記載の釣り道具用収納具。
【請求項４】
前記底壁はクリップまたはストラップ用のスロットを備える、請求項１に記載の釣り道具用収納具。
【請求項５】
前記側壁は不連続な側壁である、請求項１に記載の釣り道具用収納具。
【請求項６】
前記側壁はスロットを備える、請求項５に記載の釣り道具用収納具。
【請求項７】
前記アームは実質的にＬ字型である、請求項１に記載の釣り道具用収納具。
【発明の詳細な説明】
【技術分野】
【０００１】
優先権
本発明は、米国特許法第１１９条の下で、２０１１年９月２６日出願の米国仮特許出願第６１／５３９１９２号に基づく優先権を主張する。
【０００２】
本発明は、釣り具に関し、より詳細には、釣り道具用収納具と、電子コードおよび／またはワイヤーの収納とに関する。
【背景技術】
【０００３】
電子コード／ワイヤーの背景技術
今日のほとんどのコンピュータ、携帯電話、および音楽およびビデオデバイスの使用者は、コンポーネント接続または再生用イヤホンのための様々な一連のコードを持っている。
【０００４】
これらのワイヤーおよびコードがもつれたり、紛失したり、または損傷したりすることを防止するために、きちんと収納されることが要求されている。様々な種類のコードおよびワイヤーが使用されているが、ほとんどがもつれに悩まされる。
【０００５】
釣り人の商売道具は、釣り竿、釣り針、はりす、クラスプ、およびスイベルである。
【０００６】
もつれたり、紛失したり、さもなければ役に立たなくなることを防ぐために、可能ならば釣り竿を除いて、これらの用品はきちんと収納される必要がある。様々な種類の釣り道具が提案されているが、ほとんどが種々の欠点に悩まされている。
【発明の概要】
【課題を解決するための手段】
【０００７】
釣り道具用収納具の概要
釣り道具用収納具は、蓋壁、着脱自在に蓋壁と連結する側壁、および側壁と連結する底壁を含み得る。
【０００８】
蓋壁は、スプールを画定するための多数のアームを含み得る。
【０００９】
蓋壁は排水口を含み得る。
【００１０】
底壁は排水口を含み得る。
【００１１】
底壁はクリップまたはストラップ用のスロットを含み得る。
【００１２】
側壁は不連続な側壁であり得る。
【００１３】
側壁はスロットを含み得る。
【００１４】
アームは実質的にＬ字型であり得る。
【００１５】
電子コード／ワイヤーの概要
電子コード／ワイヤー収納具は、蓋壁、着脱自在に蓋壁と連結する側壁、および側壁と連結する底壁を含み得る。蓋は、スプールを画定するための多数のアームを含み得る。
【００１６】
蓋壁は、電子コード／ワイヤーを通すポートまたはスロットを含み得る。
【００１７】
底壁は、１つまたは複数の通気口を含み得る。
【００１８】
底壁は、クリップまたはストラップ用の１つまたは複数のスロットを含み得る。
【００１９】
側壁は、不連続な側壁であり得る。
【００２０】
側壁は、１つまたは複数のスロットを含み得る。
【００２１】
アームは、実質的にＬ字型またはカップ形状であり得る。
【００２２】
本発明は、添付図面とあわせて以下の説明を参照することにより、理解可能である。添付図面では、同様の符号は同様の構成要素とする。
【図面の簡単な説明】
【００２３】
【図１】本発明の教示内容に従った釣り道具用収納具が開かれた状態の斜視図である。
【図２】本発明の教示内容に従った釣り道具用収納具の底面図である。
【図３】本発明の教示内容に従った釣り道具用収納具の上面図である。
【図４】本発明の教示内容に従った釣り道具用収納具の上面の斜視図である。
【図５】本発明の教示内容に従った釣り道具用収納具が開かれた状態の上面の斜視図である。
【図６】本発明の教示内容に従った釣り道具用収納具の底面の斜視図である。
【図７】本発明の教示内容に従った釣り道具用収納具の側面の斜視図である。
【発明を実施するための形態】
【００２４】
本発明の目的は、先行の釣り針およびはりす用収納具の利点全てを有しかつ不利点のない、単数および／または複数の釣り針とはりす用の改良された収納具を提供することである。
【００２５】
本発明のもう１つの目的は、容易におよび効率的に製造および市場に出され得る、単数および／または複数の釣り針および／またはルアーおよびはりす用の改良された収納具を提供することと、製品または多様な用具収納具を、ジョイントベンチャーのライセンス供与または他の手段のいずれかによって、この独特な単数ならびに／または複数の釣り針および／もしくはルアーおよびはりす用収納具を特色とする用具トレイ、容器、あるいは箱をもたらす機能を有するこの道具と一体化させることを可能にすることと、である。
【００２６】
本発明のさらなる目的は、耐久性および信頼性のある構造の、単数および／または複数の釣り針および／もしくはルアーおよびはりす用の改良された収納具を提供することである。
【００２７】
本発明の別の目的は、容易におよび効率的に製造および市場に出され得る、単数および／または複数のコード／ワイヤー用の改良された収納具を提供することと、製品または多様なコード／ワイヤー用具を、ジョイントベンチャーのライセンス供与または他の手段のいずれかによって、この独特な単数および／もしくは複数のコード／ワイヤー用収納具を特色とする容器または箱をもたらす機能を有するこの道具を一体化させることを可能にするか付属品として利用可能にすることと、である。
【００２８】
本発明のさらなる目的は、耐久性および信頼性のある構造の、単数および／または複数のコード／ワイヤー用の改良された収納具を提供することである。
【００２９】
本発明のさらなる目的は、材料および労力の両方の点で製造コストを低くすることを可能にし、それに応じて一般消費者への販売価格を低くすることを可能にし、それによってこのような単数ならびに／または複数の釣り針および／もしくはルアーおよびはりす用収納具を経済的に消費者および／または産業が利用可能になるような、単数ならびに／または複数の釣り針および／もしくはルアーおよびはりす用の改良された収納具を提供することである。
【００３０】
本発明のさらに別の目的は、この収納具の利点のいくつかを装置や方法として提供し、同時にそれらと通常関連づけられる不利点のいくつかを克服する、単数ならびに／または複数の釣り針および／もしくはルアーおよびはりす用の改良された収納具を提供することである。
【００３１】
本発明のさらにもう１つの目的は、複数の釣り針およびはりすをこの装置のスロットを付けたスプールまたはリールの周りに収納することである。
【００３２】
本発明のさらなる目的は、材料および労力の両方の点で製造コストを低くすることを可能にし、それに応じて一般消費者への販売価格を低くすることを可能にし、それによってこのような単数および／または複数のコード／ワイヤー用収納具を経済的に消費者および／または産業が利用可能になるような、改良されたコード／ワイヤー用収納具を提供することである。
【００３３】
本発明のさらに別の目的は、この収納具の利点のいくつかを装置や方法として提供し、同時にそれらと通常関連づけられる不利点のいくつかを克服する、単数および／または複数のコード／ワイヤー用の改良された収納具を提供することである。
【００３４】
本発明のさらにもう１つの目的は、複数のコードおよび／またはワイヤーをこの装置のスロットを付けたスプールまたはリールの周りに収納することである。
【００３５】
本発明の目的は、単数ならびに／または複数の釣り針および／もしくはルアーおよびはりす用の改良された収納具を提供することである。当該収納具は、長方形または正方形または円形で、プラスチック製、金属製、ゴム製、紙製または木製で、釣り針および／またはルアーのためのアクセスし易い統合されたスロット付きのスプールまたはリール用収納エリアのある、様々なサイズのヒンジ付き容器の組み合わせによる、単数ならびに／または複数の釣り針および／もしくはルアーおよびはりす用の改良された収納具を含み、安全に固定されかつ収納する。容器は、収納した道具をすすぐための排水穴、およびあつらえのまたは使用者が取得したクリップもしくはストラップもしくはタイを収容するためのストラップまたはクリップ用の開口を特徴とする。容器は、統合されたスプールまたはリールがしっかり閉じられ安全に収納され得る統合されたスプールまたはリールに、容器が開いているときに使用者が到達できるような中央収納カップおよび覆い蓋を特徴とする統合されたスロット付きスプールまたはリールを有する蓋を含むヒンジ付き蓋を特徴とする。
【００３６】
本発明の目的は、単数および／または複数のコード／ワイヤー用の改良された収納具を提供することである。当該収納具は、長方形または正方形または円形で、プラスチック製、金属製、ゴム製、または木製で、コードまたはワイヤーのためのアクセスし易い統合されたスロット付きのスプールまたはリール用収納エリアのある、さまざまなサイズのヒンジ付きまたはヒンジなしの容器の組み合わせによる、単数および／または複数のコード／ワイヤー用の改良された収納具を含み、安全に固定されかつ収納する。容器は、あつらえのまたは使用者が取得したクリップまたは収納またはタイを収容するための通気穴およびストラップまたはクリップ用のスロットを含む。容器は、統合されたスプールまたはリールがしっかり閉じられ安全に収納され得る統合されたスプールまたはリールに、容器が開いているときに使用者が到達できるような中央収納カップおよび覆い蓋を特徴とする統合されたスロット付きスプールまたはリールを有するヒンジ付きまたはヒンジなし蓋を含む。
【００３７】
図１は、開閉を行って収納具筐体１０１の内部へ到達することを制限および許可するために旋回可能であり、不連続な側壁２３にヒンジ２７により連結され得る蓋壁部１、底壁２５および蓋壁１の周囲に広がり得る不連続な側壁２３、ならびに、不連続な側壁２３に連結可能であり、蓋壁１と対向する底壁２５、を含む得る収納具筐体１０１を含むことができる釣り道具用収納具１００の斜視図を示している。
【００３８】
蓋壁１は、排水を可能にしかつ収納部を乾燥させるための空気を通すことができるように蓋壁１を通して広がる開口部とすることができ、楕円形状である排水口４を多数含み得る。さらに、Ｌ字型のアーム２は、はりすをくるむためのスプールを提供するために（閉じられているときに）内部へ広がる。アーム２は、実質的に楕円形を形成するよう配置可能である。
【００３９】
蓋壁１は、円筒形で底壁２５から延びる閉止柱（ｃｌｏｓｕｒｅ  ｐｏｓｔ）７と協同するための中央開口部を備える円筒形であり得る留め具３を含み得る。
【００４０】
蓋壁１は、柔軟性を有し得るプラスチックなど脆弱な材質とすることができ、または、円筒を軸として旋回する柱とすることができるヒンジ５によって側壁２３と連結し得る。
【００４１】
側壁２３は、側壁２３から延びて側壁２３の外側のはりすがスロット９のそれぞれを通って延びることができるように対向する一組のスロット９を含む。底壁２５は、第１の対向するスロット１０の組および第２の対向するスロットの組１０を含み、筐体１００が使用者により着用できるように、ストラップまたはクリップが第１の対向するスロットの組１０または第２の対向するスロットの組１０を通って延びることを可能にする。
【００４２】
また、底壁２５は、筐体１００の排水および内部領域の掃除を容易にする排水口４１を含むことができる。
【００４３】
底壁２５、蓋壁１、および側壁２３により形成される空洞は、Ｌ字型アーム２に中空の領域を提供する。
【００４４】
図２は、排水口４１およびスロット１０を含むことができる底壁２５の底面図を示している。
【００４５】
図３は、排水口４を含む蓋壁１の上面図を示している。
【００４６】
図４は、排水口４および蓋壁１の上面に成型され得るしるし４３を含むことができる蓋壁１の上面の斜視図と、ヒンジ５とを示している。
【００４７】
図５および６は、蓋壁１、側壁２３、底壁２５、Ｌ字型アーム２、ヒンジ５、スロット１０、排水口４、および側壁のスロット９の斜視図を示している。
【００４８】
図７は、蓋壁１、側壁２３、底壁２５、排水口４、およびヒンジ５の斜視図を示している。
【００４９】
本発明は、種々の変形および代替の形態が可能であるが、図面に例示することによって、および本明細書において詳細に説明される特定の実施形態について示した。しかしながら、本明細書の特定の実施形態の説明は本発明を特定の開示された形態に限定するためのものではないことを理解されたい。
【図１】
2014533492.tif 000003
【図２】
2014533492.tif 000004
【図３】
2014533492.tif 000005
【図４】
2014533492.tif 000006
【図５】
2014533492.tif 000007
【図６】
2014533492.tif 000008
【図７】
2014533492.tif 000009